(57)【要約】【課題】  ＩＣカードの利用によりメリットがあることを分かり易く伝えることが可能なＩＣカード処理装置を提供すること。【解決手段】  本発明の一実施形態に係るＩＣカード処理装置は、ＩＣカードのメモリに記憶された乗車履歴情報を読み取り、前記読み取られた前記乗車履歴情報がサービス情報の提供条件を満たしているか否かを判断し、前記判断手段によりサービス情報の提供条件が満たされているとの判断に基づき、前記ＩＣカードのリライトエリアに対してサービス情報を印字記録する。【選択図】      図１
2010055533.tif 000002
【特許請求の範囲】
【請求項１】
ＩＣカードのメモリに記憶された乗車履歴情報を読み取る読取手段と、
前記読取手段により読み取られた前記乗車履歴情報がサービス情報の提供条件を満たしているか否かを判断する判断手段と、
前記判断手段によりサービス情報の提供条件が満たされているとの判断に基づき、前記ＩＣカードのリライトエリアに対してサービス情報を印字記録する記録手段と、
を備えたことを特徴とするＩＣカード処理装置。
【請求項２】
前記記録手段は、前記判断手段によりサービス情報の提供条件が満たされているとの判断に基づき、前記ＩＣカードのリライトエリアに対して提携店舗の情報を印字記録することを特徴とする請求項１に記載のＩＣカード処理装置。
【請求項３】
前記判断手段は、前記乗車履歴情報が当日の乗車を示す場合に、サービス情報の提供条件を満たすと判断することを特徴とする請求項１に記載のＩＣカード処理装置。
【請求項４】
前記判断手段によりサービス情報の提供条件が満たされているとの判断に基づき、サービス情報が記録された媒体を発行する発行手段を備えたことを特徴とする請求項１に記載のＩＣカード処理装置。
【請求項５】
第１及び第２のＩＣカード処理装置により構成されるＩＣカード処理システムであって、
前記第１のＩＣカード処理装置は、
ＩＣカードのメモリに記憶された第１の乗車履歴情報に基づき改札処理を行い、前記第１の乗車履歴情報を第２の乗車履歴情報へ更新する改札手段と、
前記改札手段による改札処理に対応して第１のサービス情報を表示する表示手段と、
を備え、
前記第２のＩＣカード処理装置は、
前記ＩＣカードのメモリに記憶された前記第２の乗車履歴情報を読み取る読取手段と、
前記読取手段により読み取られた前記第２の乗車履歴情報が第２のサービス情報の提供条件を満たしているか否かを判断する判断手段と、
前記判断手段により前記第２のサービス情報の提供条件が満たされているとの判断に基づき、前記ＩＣカードのリライトエリアに対して前記第２のサービス情報を印字記録する記録手段と、
を備えたことを特徴とするＩＣカード処理システム。
【請求項６】
ＩＣカードのメモリに対して金額情報を記録する記録手段と、
前記記録手段による金額情報の記録がサービス情報の提供条件を満たしているか否かを判断する判断手段と、
前記判断手段により前記サービス情報の提供条件が満たされているとの判断に基づき、前記ＩＣカードのリライトエリアに対して前記サービス情報を印字記録する記録手段と、
を備えたことを特徴とするＩＣカード処理装置。
【請求項７】
ユーザからの乗車券購入の操作入力に対応して、ＩＣカードのメモリに記憶された情報に基づき乗車券を発行する発行手段と、
前記発行手段による乗車券の発行がサービス情報の提供条件を満たしているか否かを判断する判断手段と、
前記判断手段により前記サービス情報の提供条件が満たされているとの判断に基づき、前記ＩＣカードのリライトエリアに対して前記サービス情報を印字記録する記録手段と、
を備えたことを特徴とするＩＣカード処理装置。
【請求項８】
ユーザからの特急乗車予約の操作入力に対応して、ＩＣカードのメモリに記憶された情報に基づき特急の乗車を予約する予約手段と、
前記予約手段による特急の乗車予約がサービス情報の提供条件を満たしているか否かを判断する判断手段と、
前記判断手段により前記サービス情報の提供条件が満たされているとの判断に基づき、前記ＩＣカードのリライトエリアに対して前記サービス情報を印字記録する記録手段と、
を備えたことを特徴とするＩＣカード処理装置。
【請求項９】
ＩＣカードのメモリに記憶された乗車履歴情報を読み取り、
前記読み取られた前記乗車履歴情報がサービス情報の提供条件を満たしているか否かを判断し、
サービス情報の提供条件が満たされているとの判断に基づき、前記ＩＣカードのリライトエリアに対してサービス情報を印字記録する、
ことを特徴とするＩＣカード処理方法。
【請求項１０】
第１のＩＣカード処理装置は、
ＩＣカードのメモリに記憶された第１の乗車履歴情報に基づき改札処理を行い、前記第１の乗車履歴情報を第２の乗車履歴情報へ更新し、
第１のサービス情報を表示し、
第２のＩＣカード処理装置は、
前記ＩＣカードのメモリに記憶された前記第２の乗車履歴情報を読み取り、
前記読み取られた前記第２の乗車履歴情報が第２のサービス情報の提供条件を満たしているか否かを判断し、
前記第２のサービス情報の提供条件が満たされているとの判断に基づき、前記ＩＣカードのリライトエリアに対して前記第２のサービス情報を印字記録する、
ことを特徴とするＩＣカード処理方法。
【発明の詳細な説明】
【技術分野】
【０００１】
本発明は、鉄道などの交通機関の運賃の支払い及び各種店舗での代金の支払いに使用可能なＩＣカードを処理するＩＣカード処理装置、ＩＣカード処理システム、及びＩＣカード処理方法に関する。
【背景技術】
【０００２】
近年、様々なシーンで利用できるＩＣカードが普及している。このようなＩＣカードは、複数のアプリケーションを搭載することができる。例えば、ＩＣカードは、電子乗車券カードアプリケーション及びクレジットカードアプリケーションを搭載することができる。これにより、一枚のＩＣカードを電子乗車券として使用することもできるし、クレジットカードとして使用することもできる。
【０００３】
両アプリケーションの連携処理の一例として、クレジットカードアプリケーションにより電子乗車券用の代金を支払い、電子乗車券カードアプリケーションにより支払われた代金に相当する金額情報をチャージすることができる。これにより、実際に現金を出し入れすることなく、ＩＣカードに電子乗車券用の金額情報をチャージすることができ、しかも、ＩＣカードにチャージされた電子乗車券用の金額情報は、店舗等における商品の購入代金の支払いにも充てることができる。
【０００４】
上記以外にもＩＣカードに搭載された複数のアプリケーションの連携処理により、様々なサービスを提供する技術が提案されている（特許文献１参照）。例えば、携帯端末に装着されたＩＣカードに、レストランへの来店時の交通費を払い戻す交通費払戻クーポンをダウンロードする。ＩＣカードの電子乗車券カードアプリケーションで保持された改札履歴と、クレジットカードアプリケーションで保持されたクレジットカード利用履歴とを収集し、交通費払戻クーポンで規定された実行条件を満足しているか否かを判定し、実行条件を満足しているとき、来店時の交通費を電子乗車券カードアプリケーションに加算する。
【特許文献１】特開２００５−３１６９９２
【発明の開示】
【発明が解決しようとする課題】
【０００５】
上記した複数のアプリケーションの連携処理にとどまることなく、ＩＣカードの利便性向上に関する要望は多く、特にＩＣカードの利用を促進する技術提案に対する要望は大きい。
【０００６】
ＩＣカードの利用を促進するためには、ＩＣカードのユーザに対してメリットがあるだけでなく、ユーザに対して分かり易いことも重要である。
【０００７】
本発明の目的は、ＩＣカードの利用によりメリットがあることを分かり易く伝えることが可能なＩＣカード処理装置、ＩＣカード処理システム、及びＩＣカード処理方法を提供することにある。
【課題を解決するための手段】
【０００８】
この発明の一実施形態に係るＩＣカード処理装置は、ＩＣカードのメモリに記憶された乗車履歴情報を読み取る読取手段と、前記読取手段により読み取られた前記乗車履歴情報がサービス情報の提供条件を満たしているか否かを判断する判断手段と、前記判断手段によりサービス情報の提供条件が満たされているとの判断に基づき、前記ＩＣカードのリライトエリアに対してサービス情報を印字記録する記録手段とを備えている。
【０００９】
この発明の一実施形態に係るＩＣカード処理システムは、第１及び第２のＩＣカード処理装置により構成されるＩＣカード処理システムであって、前記第１のＩＣカード処理装置は、ＩＣカードのメモリに記憶された第１の乗車履歴情報に基づき改札処理を行い、前記第１の乗車履歴情報を第２の乗車履歴情報へ更新する改札手段と、前記改札手段による改札処理に対応して第１のサービス情報を表示する表示手段とを備え、前記第２のＩＣカード処理装置は、前記ＩＣカードのメモリに記憶された前記第２の乗車履歴情報を読み取る読取手段と、前記読取手段により読み取られた前記第２の乗車履歴情報が第２のサービス情報の提供条件を満たしているか否かを判断する判断手段と、前記判断手段により前記第２のサービス情報の提供条件が満たされているとの判断に基づき、前記ＩＣカードのリライトエリアに対して前記第２のサービス情報を印字記録する記録手段とを備えている。
【００１０】
この発明の一実施形態に係るＩＣカード処理装置は、ＩＣカードのメモリに対して金額情報を記録する記録手段と、前記記録手段による金額情報の記録がサービス情報の提供条件を満たしているか否かを判断する判断手段と、前記判断手段により前記サービス情報の提供条件が満たされているとの判断に基づき、前記ＩＣカードのリライトエリアに対して前記サービス情報を印字記録する記録手段とを備えている。
【００１１】
この発明の一実施形態に係るＩＣカード処理装置は、ユーザからの乗車券購入の操作入力に対応して、ＩＣカードのメモリに記憶された情報に基づき乗車券を発行する発行手段と、前記発行手段による乗車券の発行がサービス情報の提供条件を満たしているか否かを判断する判断手段と、前記判断手段により前記サービス情報の提供条件が満たされているとの判断に基づき、前記ＩＣカードのリライトエリアに対して前記サービス情報を印字記録する記録手段とを備えている。
【００１２】
この発明の一実施形態に係るＩＣカード処理装置は、ユーザからの特急乗車予約の操作入力に対応して、ＩＣカードのメモリに記憶された情報に基づき特急の乗車を予約する予約手段と、前記予約手段による特急の乗車予約がサービス情報の提供条件を満たしているか否かを判断する判断手段と、前記判断手段により前記サービス情報の提供条件が満たされているとの判断に基づき、前記ＩＣカードのリライトエリアに対して前記サービス情報を印字記録する記録手段とを備えている。
【００１３】
この発明の一実施形態に係るＩＣカード処理方法は、ＩＣカードのメモリに記憶された乗車履歴情報を読み取り、前記読み取られた前記乗車履歴情報がサービス情報の提供条件を満たしているか否かを判断し、サービス情報の提供条件が満たされているとの判断に基づき、前記ＩＣカードのリライトエリアに対してサービス情報を印字記録する。
【００１４】
この発明の一実施形態に係るＩＣカード処理方法は、第１のＩＣカード処理装置が、ＩＣカードのメモリに記憶された第１の乗車履歴情報に基づき改札処理を行い、前記第１の乗車履歴情報を第２の乗車履歴情報へ更新し、第１のサービス情報を表示し、第２のＩＣカード処理装置が、前記ＩＣカードのメモリに記憶された前記第２の乗車履歴情報を読み取り、前記読み取られた前記第２の乗車履歴情報が第２のサービス情報の提供条件を満たしているか否かを判断し、前記第２のサービス情報の提供条件が満たされているとの判断に基づき、前記ＩＣカードのリライトエリアに対して前記第２のサービス情報を印字記録する。
【発明の効果】
【００１５】
本発明によれば、ＩＣカードの利用によりメリットがあることを分かり易く伝えることが可能なＩＣカード処理装置、ＩＣカード処理システム、及びＩＣカード処理方法を提供できる。
【発明を実施するための最良の形態】
【００１６】
以下、図面を参照し、本発明の実施形態について説明する。
【００１７】
図１は、本発明の実施形態に係るＩＣカード処理システムの概略構成を示す図である。図１に示すように、ＩＣカード処理システムは、提携店舗端末１、鉄道事業者端末２、駅務機器３、ＩＣカード４により構成される。なお、本実施形態では、ＩＣカード４が無線タイプであるものとして説明する。
【００１８】
提携店舗端末１は、提携店舗の精算カウンター等に設置される複数のＩＣカードリーダライタ等の端末、これら複数のＩＣカードリーダライタ等の端末からのデータを集計する集計端末、さらには鉄道事業者端末２と通信する通信端末等に相当する。
【００１９】
鉄道事業者端末２は、提携店舗端末１と通信する通信端末、駅務機器３と通信する通信端末等に相当し、制御部２１、記憶部２２、通信部２３を備える。駅務機器３は、精算機３１、券売機３２、改札機３３等に相当する。精算機３１は、制御部３１１、記憶部３１２、通信部３１３、ＩＣカードリーダライタ３１４、印字記録部３１５、表示部３１６、サービス情報発行部３１７、精算処理部３１８を備える。券売機３２は、制御部３２１、記憶部３２２、通信部３２３、ＩＣカードリーダライタ３２４、印字記録部３２５、表示部３２６、サービス情報発行部３２７、券売処理部３２８を備える。改札機３３は、制御部３３１、記憶部３３２、通信部３３３、ＩＣカードリーダライタ３３４、表示部３３６、改札処理部３３８を備える。
【００２０】
ＩＣカード４は、制御部４１、記憶部４２、通信部４３を備え、ＩＣカード４の一方の面にはリライタブルエリア４４が設けられている。
【００２１】
以下、サービス情報提供処理について説明する。最初に、鉄道事業者端末２は、提携店舗端末１から送信されるサービス情報提供条件とサービス情報を登録する。つまり、鉄道事業者端末２の通信部２３を介して受信されたサービス情報提供条件とサービス情報が、鉄道事業者端末２の記憶部２２に登録される。サービス情報提供条件とは、１月１日に駅Ａを利用（又は出場）、１月１日の午後１５：００〜１７：００に駅Ａを利用（又は出場）などの条件である。サービス情報とは、例えば提携店舗の情報であり、提携店舗の情報とは、例えば提携店舗の店名、住所、電話番号、アクセスマップ、割引情報などである。
【００２２】
鉄道事業者端末２は、駅務機器３に対して、サービス情報提供条件とサービス情報を送信する。つまり、鉄道事業者端末２の通信部２３が、駅務機器３に対して、サービス情報提供条件とサービス情報を送信する。駅務機器３の通信部３３は、サービス情報提供条件とサービス情報を受信し、駅務機器３の記憶部２２は、サービス情報提供条件とサービス情報を登録する。
【００２３】
ここで、ＩＣカード４について説明する。ＩＣカード４は、複数のアプリケーションを搭載することができる。例えば、ＩＣカード４の記憶部４２は、電子乗車券カードアプリケーション及びクレジットカードアプリケーションを記憶する。これにより、ＩＣカード４は、電子乗車券として使用することもできるし、クレジットカードとして使用することもできる。
【００２４】
例えば、クレジットカードアプリケーションにより電子乗車券用の代金を支払い、電子乗車券カードアプリケーションにより支払われた代金に相当する金額情報をチャージすることができる。これにより、実際に現金を出し入れすることなく、ＩＣカード４（記憶部４２）に電子乗車券用の金額情報をチャージすることができる。しかも、ＩＣカード４（記憶部４２）にチャージされた電子乗車券用の金額情報は、店舗等における商品の購入代金の支払いにも充てることができる。さらに、クレジットカードアプリケーションにより電子定期乗車券用の代金を支払い、電子乗車券カードアプリケーションにより支払われた代金に相当する電子定期乗車券を有効にすることができる。
【００２５】
例えば、ＩＣカード４を改札機３３のＩＣカードリーダライタ３３４の通信エリアにタッチすると、ＩＣカードリーダライタ３３４はＩＣカード４に記憶された情報を読み取り、改札処理部３３８がＩＣカード４から読み取った情報に基づき改札処理を行う。つまり、改札処理部３３８は、電子定期乗車券の情報及び電子乗車券用の金額情報に基づき、改札処理を行い、ＩＣカード４の記憶部４２に対して乗車履歴情報を記録したり、ＩＣカード４の記憶部４２に記録された乗車履歴情報を更新したりする。
【００２６】
例えば、入場改札処理時には、改札処理部３３８は、ＩＣカード４の記憶部４２に対して、入場履歴情報（入場駅名及び入場時刻等）を記録する。出場改札処理時には、改札処理部３３８は、ＩＣカード４の記憶部４２に対して、出場履歴情報（出場駅名及び出場時刻等）を記録する。上記した乗車履歴情報の更新とは、新たな履歴情報を書き加えたり、最も古い履歴情報を削除し替わりに新たな履歴情報を書き加えたりすることである。或いは、上記した乗車履歴情報の更新とは、前回の履歴情報を削除し、今回の履歴情報を書き込むことである。
【００２７】
再び、サービス情報提供処理の説明に戻る。上記したように、改札機３３により改札処理を受けたＩＣカード４を精算機３１、券売機３２で利用すると、サービス情報の提供を受けることができる。例えば、出場改札処理を終えたＩＣカード４が券売機３２に投入されると、図２に示すように、券売機３２は、ＩＣカード４の記憶部４２に記憶された乗車履歴情報を読み取り（ＳＴ１０５、ＹＥＳ）、乗車履歴情報がサービス情報の提供条件を満たしているか否かを判断し、サービス情報の提供条件が満たされているとの判断に基づき（ＳＴ１０６、ＹＥＳ）、ＩＣカード４のリライトエリアに対してサービス情報を印字記録する（ＳＴ１０７）。
【００２８】
詳しく説明すると、券売機３２のＩＣカードリーダライタ３２４は、ＩＣカード４の記憶部４２に記憶された乗車履歴情報を読み取る。続いて、券売機３２の制御部３２１は、記憶部３２２に記憶されたサービス情報提供条件と、読み取った乗車履歴情報とを比較し、読み取った乗車履歴情報がサービス情報の提供条件を満たしているか否かを判断する。例えば、サービス情報提供条件が、１月１日に駅Ａを利用（又は出場）したことを示し、読み取った乗車履歴情報が１月１日に駅Ａを利用（又は出場）したことを示していれば、サービス情報の提供条件が満たされていると判断する。この場合、印字記録部３２５が、ＩＣカード４のリライタブルエリア４４の印字情報を一旦消去してからサービス情報を印字記録する。
【００２９】
これにより、例えば、駅Ａの近辺の提携店舗の割引情報が印字されることになる。また、サービス情報提供条件として、１月１日の午後１５：００〜１７：００に駅Ａを利用（又は出場）などの時間帯まで限定した条件を使用し、ＩＣカード４の利用履歴情報がこの条件が満たしていれば、タイムリーな情報を提供することができる。例えば、午後１５：００〜１７：００、全品３０％ＯＦＦのようなサービス情報を提供できる。また、提供しようとするサービス情報のボリュームに応じて、サービス情報発行部３２７がサービス情報をプリントアウトするようにしてもよい。この場合、複数の提携店舗の割引情報を提供することもできるし、各提携店舗のアクセスマップを提供することもできる。
【００３０】
上記は券売機３２によるサービス情報の提供について説明したが、精算機３１でもサービス情報を提供することができる。例えば、入場改札処理を終えたＩＣカード４が出場駅の精算機３１に投入されると、精算機３１の精算処理部３１８はＩＣカード４に記憶された情報に基づき精算処理を行う。例えば、精算処理部３１８は、ＩＣカード４に記憶された入場履歴情報に含まれる入場駅と精算機３１の設置駅（出場予定駅）から不足運賃を計算し、ＩＣカード４に記憶された電子乗車券用の金額情報から不足運賃を引き去り、ＩＣカード４に対して精算済み情報（精算駅名、精算日時）を記録する。なお、精算機３１は、ＩＣカード４に記憶された電子乗車券用の金額情報が不足している場合、電子乗車券用の金額情報のチャージを促し、現金投入に対応して、電子乗車券用の金額情報を加算する。
【００３１】
さらに、精算機３１は、精算済み情報（精算駅名、精算日時）がサービス情報の提供条件を満たしているか否かを判断し、サービス情報の提供条件が満たされているとの判断に基づき、ＩＣカード４のリライトエリア４４に対してサービス情報を印字記録する。詳しく説明すると、精算機３１の制御部３１１は、精算済み情報（精算駅名、精算日時）と記憶部３１２に記憶されたサービス情報提供条件とを比較し、精算済み情報（精算駅名、精算日時）がサービス情報の提供条件を満たしているか否かを判断する。例えば、サービス情報提供条件が、１月１日に駅Ａを利用（又は出場）したことを示し、精算済み情報（精算駅名、精算日時）が１月１日に駅Ａで利用（精算）したことを示していれば、サービス情報の提供条件が満たされていると判断する。この場合、印字記録部３１５が、ＩＣカード４のリライタブルエリア４４の印字情報を一旦消去してからサービス情報を印字記録する。
【００３２】
これにより、例えば、駅Ａの近辺の提携店舗の割引情報が印字されることになる。また、サービス情報提供条件として、１月１日の午後１５：００〜１７：００に駅Ａを利用（又は出場）などの時間帯まで限定した条件を使用し、精算済み情報（精算駅名、精算日時）がこの条件が満たしていれば、タイムリーな情報を提供することができる。例えば、午後１５：００〜１７：００、全品３０％ＯＦＦのようなサービス情報を提供できる。また、提供しようとするサービス情報のボリュームに応じて、サービス情報発行部３２７がサービス情報をプリントアウトするようにしてもよい。この場合、複数の提携店舗の割引情報を提供することもできるし、各提携店舗のアクセスマップを提供することもできる。
【００３３】
なお、改札機３３を利用し、サービス情報の一部を案内したり、サービス情報が受けられることを案内したりするようにしてもよい。例えば、ＩＣカード４が改札機３３のＩＣカードリーダライタ３３４の通信エリアにタッチされると、図２に示すように、ＩＣカードリーダライタ３３４はＩＣカード４に記憶された情報を読み取り（ＳＴ１０１、ＹＥＳ）、改札処理部３３８がＩＣカード４から読み取った情報に基づき改札処理を行う（ＳＴ１０２）。例えば、改札処理部３３８は、入場履歴情報、電子定期乗車券の情報、及び電子乗車券用の金額情報に基づき、改札処理を行い、ＩＣカード４の記憶部４２に対して出場履歴情報を記録（更新）する。このとき、改札機３３は、記録（更新）しようとする出場履歴情報がサービス情報の提供条件を満たしているか否かを判断し、サービス情報の提供条件が満たされているとの判断に基づき（ＳＴ１０３、ＹＥＳ）、サービス情報が受けられることを案内する。具体的には、改札機３３の表示部３３６が、「提携店舗Ｓをご利用下さい」、或いは「サービス情報の提供を受けることができます。ＩＣカードを券売機に投入してください。」などと案内する（ＳＴ１０４）。これにより、ＩＣカードユーザは、提携店舗Ｓの存在を知ることができたり、案内情報の提供を受けることを知ることができたりする。
【００３４】
上記説明では、乗車履歴情報（出場履歴情報）、精算済み情報に基づきサービス情報を提供するケースについて説明したが、本実施形態はこれに限定されるものではない。例えば、ＩＣカード４に対する金額情報のチャージに対応して、サービス情報を提供するようにしてもよい。また、ＩＣカード４に記憶された金額情報に基づく乗車券購入処理に対応して、サービス情報を提供するようにしてもよい。また、ＩＣカード４を利用した特急乗車予約に対応して、サービス情報を提供するようにしてもよい。
【００３５】
つまり、ＩＣカード４が券売機３２に投入され、ユーザからの金額チャージ操作に対応して、券売機３２のＩＣカードリーダライタ３２４がＩＣカード４に対して金額情報をチャージする。このとき、例えば、チャージ金額が一定金額以上、或いはチャージ残高が一定金額以上になると、印字記録部３２５が、ＩＣカード４のリライタブルエリア４４の印字情報を一旦消去してからサービス情報を印字記録する。このケースでは、サービス情報提供条件が、一定金額以上の金額情報がチャージされること、或いは一定金額以上のチャージ残高があることを含んでいることになる。
【００３６】
また、ＩＣカード４が券売機３２に投入され、ユーザからの乗車券購入操作に対応して、券売機３２のＩＣカードリーダライタ３２４が、チャージされている金額情報から乗車券の代金を引き去り、券売処理部３２８が、乗車券を発行する。このとき、印字記録部３２５が、ＩＣカード４のリライタブルエリア４４の印字情報を一旦消去してからサービス情報を印字記録する。このケースでは、サービス情報提供条件が、乗車券発行を含んでいることになる。
【００３７】
また、ＩＣカード４が券売機３２に投入され、ユーザからの特急乗車予約操作に対応して、券売機３２のＩＣカードリーダライタ３２４が、クレジットカードアプリケーションをコールし、クレジットカードアプリケーションを利用し特急乗車予約が完了すると、印字記録部３２５が、ＩＣカード４のリライタブルエリア４４の印字情報を一旦消去してからサービス情報を印字記録する。このケースでは、サービス情報提供条件が、特急乗車予約を含んでいることになる。
【００３８】
提携店舗では、例えば、店舗係員が、物品購入代金又は施設利用代金の支払い時に、ＩＣカード４のリライタブルエリア４４に印字記録されたサービス情報に基づき、サービスを受けるための条件が満たされていることを確認し、割引、ポイント加算等のサービスを実施する。提携店舗端末１から日替わりのサービス情報を配信することにより、特売日等をＩＣカードユーザに通知、宣伝することもできる。
【００３９】
上記説明では、券売機３２又は精算機３１が、乗車履歴情報又は精算済み情報（精算駅名、精算日時）に基づきサービス情報の提供条件を満たしているか否かを判断するケースについて説明したが、提携店舗端末１が、乗車履歴情報又は精算済み情報（精算駅名、精算日時）に基づきサービス（情報）の提供条件を満たしているか否かを判断してもよい。同様に、提携店舗端末１が、チャージ金額、チャージ残高等に基づきサービス（情報）の提供条件を満たしているか否かを判断してもよい。この場合、提携店舗端末１は、必ずしもＩＣカード４のリライタブルエリア４４にサービス情報を印字記録する必要はなく、サービス（情報）の提供条件を満たしている場合には、支払い時に、割引を適用して精算処理を行い、発行するレシート等にサービスを実施したことを記載する。
【００４０】
さらに、提携店舗端末１は、ＩＣカード４によるサービス適用状況を集計し、鉄道事業者端末２へ送信することもできる。これにより、鉄道事業者サイドにおいて、ＩＣカード４によるサービス適用状況を把握することができる。また、提携店舗端末１は、ＩＣカード４による代金の支払い状況を集計し、鉄道事業者端末２へ送信することもできる。これにより、鉄道事業者サイドにおいて、ＩＣカード４による鉄道利用時に、サービスを実施することもできる。例えば、ＩＣカード４による支払い金額に応じて、運賃を割り引くなどのサービスを実施することができる。また、提携店舗端末１が、ＩＣカード４によるサービス適用、非適用の状況を集計し、どのようなサービスが有効か検討し、新たなサービスの検討材料にすることもできる。ＩＣカードユーザは、ＩＣカード４で鉄道等を利用するだけで、サービスを受けることができる。
【００４１】
本ＩＣカード処理システムによれば、サービス（割引）を受けるためには鉄道利用が条件になるため、鉄道事業者にとっては鉄道利用の収益を得ることができる。また、サービス情報をリライトエリア４４（リライト層）に印刷するため、紙資源を節約することもできる。
【００４２】
なお、上記説明では、ＩＣカード４によりサービス情報の提供を受けるケースを説明したが、本実施形態はこれだけに限定されるものではなく、ＩＣカード４の替わりに携帯電話等のモバイル端末を適用することもできる。つまり、モバイル端末に搭載された電子乗車券カードアプリケーションを利用し、モバイル端末に対してサービス情報を電子情報で送信するようにしてもよい。この場合、改札機３３が、モバイル端末に対する改札処理においてモバイル端末に記録しようとする乗車履歴情報等からサービス情報の提供条件が満たされているか判断し、条件が満たされている場合には、モバイル端末に対してサービス情報を電子情報で送信し、さらに、改札機３３の表示部３３６が、サービス情報を提供したことを案内するようにしてもよい。このケースでは、モバイル端末ユーザは、券売機３２に出向かなくても、改札機３３で改札処理を受けるだけでサービス情報を受けることができる。モバイル端末で受け取ったサービス情報は、モバイル端末のディスプレイに表示することができる。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４４】
【図１】本発明の実施形態に係るＩＣカード処理システムの概略構成を示す図である。
【図２】サービス情報提供処理の一例を示すフローチャートである。
【符号の説明】
【００４５】
１…提携店舗端末、２…鉄道事業者端末、３…駅務機器、４…ＩＣカード
【図１】
2010055533.tif 000003
【図２】
2010055533.tif 000004